【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
第１のフィットネスマシンと、
前記第１のフィットネスマシンと通信するように構成されたポータブルフィットネスモニタリング装置と、
前記ポータブルフィットネスモニタリング装置に記憶されたトレーニングプランであって、所定の負荷設定をともなう複数のスケジューリングされたトレーニング活動を含む前記トレーニングプランと
を含むフィットネスモニタリングシステムであって、
前記ポータブルフィットネスモニタリング装置は、前記所定の負荷設定を前記第１のフィットネスマシンへ送信するように構成され、
前記第１のフィットネスマシンは、前記複数のスケジューリングされたトレーニング活動の前記所定の負荷設定に基づき、前記第１のフィットネスマシンの負荷設定を自動的に調整する、前記システム。
【請求項２】
前記第１のフィットネスマシンは、ウェイトリフティングマシンである、請求項１に記載のシステム。
【請求項３】
前記ポータブルフィットネスモニタリング装置と通信するように構成されたサーバーをさらに含む請求項１に記載のシステム。
【請求項４】
前記サーバーは、前記第１のフィットネスマシンと通信するように構成されている、請求項３に記載のシステム。
【請求項５】
前記ポータブルフィットネスモニタリング装置は、前記サーバーを介して、前記第１のフィットネスモニタリングマシンと通信するように構成されている、請求項３に記載のシステム。
【請求項６】
前記システムは、第２のフィットネスマシンをさらに含み、前記ポータブルフィットネスモニタリング装置は、前記第２のフィットネスマシンと通信するように構成されている、請求項１に記載のシステム。
【請求項７】
前記ポータブルフィットネスモニタリング装置は、前記トレーニングプランを前記第１のフィットネスマシンと前記第２のフィットネスマシンへ送信するように構成され、前記第２のフィットネスマシンは、ユーザーが前記第２のフィットネスマシンに着いた時に、次のスケジューリングされたトレーニング活動に対して予め設定される、請求項６に記載のシステム。
【請求項８】
前記ポータブルフィットネスモニタリング装置は、前記第１のフィットネスマシンから、ユーザに関する運動データを受信するように構成されている、請求項１に記載のシステム。
【請求項９】
前記運動データは、ユーザが完了に成功した動きの数を含む、請求項８に記載のシステム。
【請求項１０】
前記ポータブルパフォーマンスモニタリング装置は、前記運動データに基づき、次のスケジューリングされたトレーニング活動についての抵抗目標を定義するように構成されている、請求項８に記載のシステム。
【請求項１１】
ポータブルフィットネスモニタリング装置のユーザに対する複数のトレーニング活動をスケジューリングする方法であって、
前記ポータブルフィットネスモニタリング装置において、前記ユーザからトレーニングカテゴリー選択を受信する工程と、
前記選択されたトレーニングカテゴリに基づき複数のトレーニング活動をスケジューリングする工程であって、第１のトレーニング活動が所定の負荷設定を含む、工程と、
前記ポータブルフィットネスモニタリング装置から第１のフィットネスマシンへ前記所定の負荷設定を送信する工程と、
前記所定の負荷設定に基づき、前記第１のフィットネスマシンの負荷設定を自動的に調整する工程と
を含む前記方法。
【請求項１２】
前記第１のフィットネスマシンは、ウェイトリフティングマシンである、請求項１１に記載の方法。
【請求項１３】
前記ポータブルフィットネスモニタリング装置から前記第１のフィットネスマシンへ前記所定の負荷設定を送信する工程は、前記所定の負荷設定をサーバーを介して送信する工程を含む、請求項１１に記載の方法。
【請求項１４】
前記第１のフィットネスマシンと第２のフィットネスマシンへ前記複数のトレーニング活動のスケジュールを送信する工程と、
前記ユーザーが前記第２のフィットネスマシンに着く前に、次のスケジューリングされたトレーニング活動に対して前記第２のフィットネスマシンを予め設定する工程と
をさらに含む請求項１１に記載の方法。
【請求項１５】
前記第１のトレーニング活動に関する前記ユーザの運動データを前記第１のフィットネスマシンから受信する工程をさらに含む請求項１１に記載の方法。
【請求項１６】
前記ユーザの運動データは、前記ユーザが完了に成功した動きの数を含む、請求項１５に記載の方法。
【請求項１７】
前記ユーザの運動データに基づき、次のスケジューリングされたトレーニング活動の抵抗目標を定義する工程をさらに含む請求項１５に記載の方法。
【請求項１８】
前記抵抗目標は、反復目標を含む、請求項１７に記載の方法。
【請求項１９】
前記抵抗目標は、負荷目標を含む、請求項１７に記載の方法。
【請求項２０】
前記抵抗目標は、前に完了した抵抗目標からの付加的な増加を含む、請求項１７に記載の方法。
【手続補正２】
【補正対象書類名】明細書
【補正対象項目名】０１５５
【補正方法】変更
【補正の内容】
【０１５５】
本発明を、例示的な実施形態を用いて説明してきた。よって、本発明は、上述の例示的な実施形態のうちのいかなるものによっても制限されるべきではないが、以下の請求項及びその相当物によってのみ定義されるべきである。
なお、本発明には以下の態様が含まれることを付記する。
［１］
フィットネスモニタリング装置のユーザーのためのトレーニング活動をスケジューリングする方法であって：
１つ以上の有酸素トレーニング活動を含む有酸素トレーニングプランを定義し、１つ以上の非有酸素トレーニング活動を含む非有酸素トレーニングプランを定義する工程と；
トレーニングカレンダーにおける前記非有酸素トレーニングプラン及び前記有酸素トレーニングプランの実行をスケジューリングする工程と；
前記フィットネスモニタリング装置の前記ユーザーに対し、前記有酸素トレーニングプラン及び前記非有酸素トレーニングプランを含む前記トレーニングカレンダーのグラフィック表示を提供する工程と；を含む、方法。
［２］
第１有酸素トレーニング活動が、ペース目標、速度目標及び心拍数目標のうちの少なくとも１つを含み、第１非有酸素トレーニング活動が、抵抗目標を含む、［１］に記載の方法。
［３］
前記抵抗目標が、重量目標、反復目標及び時間目標からなる群から選択される１つ以上の目標を含む、［２］に記載の方法。
［４］
前記抵抗目標がユーザー入力に基づく、［２］に記載の方法。
［５］
第１非有酸素トレーニング活動が第１抵抗目標を含み、該第１抵抗目標の完了に基づいて第２抵抗目標を含む第２非有酸素トレーニング活動をアップデートする工程を更に含む、［１］に記載の方法。
［６］
前記スケジューリングする工程が、ユーザー入力を受信する工程を含む、［１］に記載の方法。
［７］
前記有酸素トレーニング活動及び前記非有酸素トレーニング活動が同じ日にスケジューリングされる、［１］に記載の方法。
［８］
前記スケジューリングする工程の前にユーザー入力を要求する工程を更に含む、［１］に記載の方法。
［９］
前記非有酸素トレーニング活動が用具の使用を含む、［１］に記載の方法。
［１０］
前記ユーザーに対して有酸素トレーニング活動についてのコーチングを提供する工程を更に含む、［１］に記載の方法。
［１１］
前記ユーザーに対して非有酸素トレーニング活動ついてのインストラクションを提供する工程を更に含む、［１］に記載の方法。
［１２］
前記ユーザーに対して有酸素トレーニング活動についてのコーチングを提供し、前記ユーザーに対して非有酸素トレーニング活動ついてのインストラクションを提供する工程を更に含む、［１］に記載の方法。
［１３］
前記インストラクションを提供する工程が、活動前に前記ユーザーに対して説明文及びビデオのうちの少なくとも１つを提供する工程を含む、［１１］に記載の方法。
［１４］
前記コーチングを提供する工程が、活動中に言葉によるフィードバックを提供する工程を含む、［１０］に記載の方法。
［１５］
前記フィットネスモニタリング装置が携帯電話を含む、［１］に記載の方法。
［１６］
フィットネスモニタリング装置及び方法のユーザーのためのトレーニング活動をスケジューリングするための有形のコンピュータプログラム製品であって、少なくとも１つのプロセッサのための記録されたコンピュータプログラムロジックを有するコンピュータ読み取り可能媒体を含み、前記プロセッサに、
１つ以上の有酸素トレーニング活動を含む有酸素トレーニングプラン及び１つ以上の強度トレーニング活動を含む非有酸素トレーニングプランを定義させ；
有酸素トレーニング活動のスケジューリングに基づいた強度トレーニング活動の実行をスケジューリングさせ；
ユーザーに対する有酸素トレーニング活動及び強度トレーニング活動を含むスケジュールのフィットネスモニタリング装置上でのグラフィック表示を提供させる、コンピュータプログラム製品。
［１７］
フィットネスモニタリング装置のユーザーのためのトレーニング活動をスケジューリングする方法であって：
前記ユーザーからのトレーニングカテゴリー選択を受信する工程と；
選択された前記トレーニングカテゴリーに基づいて複数のトレーニング活動をスケジューリングする工程であって、第１トレーニング活動が、第１抵抗目標を有する複数の体の動きの実行を要求する、工程と；
前記第１トレーニング活動の完了後に前記第１抵抗目標についての入力を受信する工程と；
受信された前記入力に基づいて第２トレーニング活動の第２抵抗目標を定義する工程と；を含む、方法。
［１８］
前記入力を前記ユーザーから受信する、［１７］に記載の方法。
［１９］
前記入力をフィットネスマシンから受信する、［１７］に記載の方法。
［２０］
前記入力をビデオゲームシステムから受信する、［１７］に記載の方法。
［２１］
前記入力を受信する工程が、前記ユーザーが前記第１抵抗目標を完了したという入力を含む、［１７］に記載の方法。
［２２］
前記第２抵抗目標が前記第１抵抗目標よりも大きい、［１７］に記載の方法。
［２３］
前記入力を受信する工程が、前記ユーザーが前記第１抵抗目標を完了しなかったという入力を含む、［１７］に記載の方法。
［２４］
前記第２抵抗目標を定義する工程が、以前にスケジューリングされた第２抵抗目標を修正する工程を含む、［１７］に記載の方法。
［２５］
前記第１及び第２抵抗目標が重量目標を含む、［１７］に記載の方法。
［２６］
前記第１及び第２抵抗目標が反復目標を含む、［１７］に記載の方法。
［２７］
前記第１及び第２抵抗目標が時間目標を含む、［１７］に記載の方法。
［２８］
前記フィットネスモニタリング装置が携帯電話を含む、［１７］に記載の方法。
［２９］
アスリートのための運動ルーチンを生成する方法であって：
ポータブルフィットネスモニタリング装置のユーザーからのトレーニングカテゴリー選択を受信する工程と；
前記ユーザーに関連するパフォーマンス情報を受信する工程と；
選択された前記トレーニングカテゴリー及び前記パフォーマンス情報に基づいて複数のトレーニング活動のスケジュールを生成する工程であって、第１のスケジューリングされたトレーニング活動が有酸素目標を含み、第２のスケジューリングされたトレーニング活動が抵抗目標を含む、工程と；
前記ポータブルフィットネスモニタリング装置に前記スケジュールを送信する工程と；を含み、
これらの工程の各々が少なくとも１つのプロセッサを使用して実行される、方法。
［３０］
前記ポータブルフィットネスモニタリング装置が携帯電話である、［２９］に記載の方法。
［３１］
前記有酸素目標がペース目標を含む、［２９］に記載の方法。
［３２］
前記有酸素目標が心拍数目標を含む、［２９］に記載の方法。
［３３］
前記有酸素目標が速度目標を含む、［２９］に記載の方法。
［３４］
前記抵抗目標が負荷目標を含む、［２９］に記載の方法。
［３５］
前記抵抗目標が反復目標を含む、［２９］に記載の方法。
［３６］
前記抵抗目標が時間目標を含む、［２９］に記載の方法。
［３７］
前記有酸素目標がペース目標、速度目標及び心拍数目標のうちの１つを含み、前記抵抗目標が負荷目標、反復目標及び時間目標のうちの１つを含む、［２９］に記載の方法。
［３８］
前記パフォーマンス情報が、前記アスリートが活動を行った後に前記ユーザーによって入力されたものである、［２９］に記載の方法。
［３９］
前記パフォーマンス情報が、前記アスリートが活動を行っている間に前記ポータブルフィットネスモニタリング装置によって記録されたものである、［２９］に記載の方法。
［４０］
前記パフォーマンス情報が負荷情報及び反復情報を含む、［２９］に記載の方法。